(57)【要約】【課題】  洋酒，日本酒或いはジュース類等の瓶の梱包用の箱として使用するもので、配送，搬送，運搬等作業時において種々の衝撃から瓶を割れないように保護することができるものであり、且つその衝撃緩衝材は一般の焼却可能な廃棄物として扱うことができる自然環境に優れた瓶用箱を提供すること。【解決手段】  箱体Ａと、瓶１５の上方部分を包囲する保護用孔６ａが形成され且つその外周が方形状に形成され前記箱体Ａの内周側面に略当接するようにした上部保護部材６と、前記箱体Ａの内周側面に配置される側面保護部材７と、前記箱体Ａ底面に配置される底面保護部材８とからなること。前記上部保護部材６，側面保護部材７及び底面保護部材８は、紙粉末成分又は植物製粉末成分を主成分とした板状発泡材Ｍからなること。【選択図】      図１
2006062757.tif 000002
【特許請求の範囲】
【請求項１】
箱体と、瓶の上方部分を包囲する保護用孔が形成され且つその外周が方形状に形成され前記箱体の内周側面に略当接するようにした上部保護部材と、前記箱体の内周側面に配置される側面保護部材と、前記箱体底面に配置される底面保護部材とからなり、前記上部保護部材，側面保護部材及び底面保護部材は、紙粉末成分又は植物製粉末成分を主成分とした板状発泡材からなることを特徴とした瓶用箱。
【請求項２】
請求項１において、前記板状発泡材の成分は、１０〜４０重量％の紙粉末成分又は植物性粉末成分と、補助剤として２５〜４０重量％の澱粉成分と、３５〜５０重量％のポリオレフィン系樹脂とからなることを特徴とした瓶用箱。
【請求項３】
請求項２において、前記ポリオレフィン系樹脂はポリプロピレン樹脂又はポリエチレン樹脂としてなることを特徴とする瓶用箱。
【請求項４】
請求項１，２又は３において、前記板状発泡材の主成分は、官製葉書が使用されてなることを特徴とする瓶用箱。
【発明の詳細な説明】
【技術分野】
【０００１】
本発明は、洋酒，日本酒或いはジュース類等の瓶の梱包用の箱として使用するもので、配送，搬送，運搬等作業時において種々の衝撃から瓶を割れないように保護することができるものであり、且つその衝撃緩衝材は一般の焼却可能な廃棄物として扱うことができる自然環境に優れた瓶用箱に関する。
【背景技術】
【０００２】
現在、洋酒，日本酒或いはジュース類等の瓶入り飲料が多種，出回っている。このような瓶入り飲料を提供する販売店から全国へ配送するシステムが種々の搬送機関によって確率されている。そのために、ガラス製瓶類を種々の衝撃から保護することができる梱包に関心が寄せられている。通常では、瓶が動かないように箱に固定するために、下記特許文献１に示すように、箱に瓶を固定するための厚紙を適宜に折り曲げて保護部材を形成している。この厚紙を使用した瓶の保護部材は、箱の中で瓶が動いたり、揺れたりすることを防止できるが、その箱にかかる衝撃に対しては、緩衝能力が低いと言わざるを得ず、衝撃の大きさによっては、瓶が割れてしまうことも十分にあり得る。
【特許文献１】特開平９−１３２２３２号
【発明の開示】
【発明が解決しようとする課題】
【０００３】
そこで、箱に収納した瓶を衝撃から保護するために、合成樹脂からなる発泡材を瓶の外形に対応する形状とし、このような合成樹脂発泡材等を箱に詰めて使用することがある。このような、合成樹脂発泡材によって、瓶は箱内にて安定した状態にすることができるとともに、衝撃を吸収することができる。しかしながら、上記合成樹脂発泡材による保護部材は、不要となり破棄する場合に、燃焼させるとダイオキシン等が発生することから一般ゴミとして廃棄することはできない。
【０００４】
そのために、不燃焼ゴミとして分別して廃棄されており、これが多量に出回り、自然環境等に悪影響を及ぼし、ひいては社会問題を発生している現状である。これらの多くの材質は、発泡スチロールや、ポリウレタンなどのプラスチック製品であり、優れた諸性能を有している。しかし、上記材質は、リサイクルが容易でなく、焼却時にダイオキシン等の有害ガスを発生させるなど地球環境への負荷が高く、欧米ではその使用を禁止する動きがある。
【０００５】
しかしながら、無害であり、且つ発泡スチロールのように優れた諸性能を持つ商品の開発は容易でなく、世界中の研究所で問題解決のために努力が重ねられているが、いまだ解決には至っていない。それゆえに、不要となって廃棄するときには、一般ゴミとして燃焼可能であることが望まれている。すなわち、自然環境にやさしいことが求められている。本発明の課題（技術的課題又は目的等）は、上記の要望を満たすことを目的として開発したものである。
【課題を解決するための手段】
【０００６】
そこで、発明者は上記課題を解決すべく鋭意，研究を重ねた結果、本発明を、箱体と、瓶の上方部分を包囲する保持用孔が形成され且つその外周が方形状に形成され前記箱体の内周側面に略当接するようにした上部保護部材と、前記箱体内周側面に配置される側面保護部材と、前記箱体底面に配置される底面保護部材とからなり、前記上部保護部材，側面保護部材及び底面保護部材は、紙粉末成分又は植物製粉末成分を主成分とした板状発泡材からなる瓶用箱としたことにより、箱内に収納された瓶を割れないよう保護することができ上記課題を解決したものである。
【０００７】
前述の構造において、前記板状発泡材の成分は、１０〜４０重量％の紙粉末成分又は植物性粉末成分と、補助剤として２５〜４０重量％の澱粉成分と、３５〜５０重量％のポリオレフィン系樹脂とからなる瓶用箱としたことにより、上記課題を解決したものである。また、前記ポリオレフィン系樹脂はポリプロピレン樹脂又はポロエチレン樹脂としてなる瓶用箱としたり、前記板状発泡材の主成分は、官製葉書が使用されてなることを特徴とする瓶用箱としたことにより、上記課題を解決したものである。
【発明の効果】
【０００８】
請求項１の発明によれば、箱体内の上部保護部材，側面保護部材及び底面保護部材が配置され、これらにより、瓶が衝撃から保護される。また、請求項２の発明によれば、上部保護部材，側面保護部材及び底面保護部材は、紙粉末成分又は植物製粉末成分を主成分とした板状発泡材からなり、使用後には焼却可能な廃棄物として廃棄処理することができる。請求項３によれば、上部保護部材，側面保護部材及び底面保護部材の使用後の焼却廃棄は、環境保全の面でも極めて良好なものである。請求項４の発明によれば、前記紙粉末成分として官製葉書が使用されることにより、古葉書の再生利用性をより一層良好にすることができる。
【発明を実施するための最良の形態】
【０００９】
本発明の主要な構成部材は、図１に示すように、箱体Ａと複数枚の板状発泡材Ｍからなる上部保護部材６，側面保護部材７及び底面保護部材８である。まず、板状発泡材Ｍは、約１０〜４０重量％の官製葉書古紙若しくは一般古紙の紙粉末成分又は植物性粉末成分と、補助剤として約２５〜４０重量％の澱粉（コーンスターチ等）成分と、約３５〜５０重量％のポリプロピレン樹脂成分とから構成されている。本明細書において、前記官製葉書古紙とは、官製葉書製造工程で発生する裁ち屑、汚損紙等の古紙、及び使用家庭で発生する汚損紙等をいうものである。また、植物性粉末成分としては、ふすま，茶葉殻，トウモロコシ粕，オカラ等の食物残滓等の粉末である。また、各成分の約１割程度の増減は本発明に含まれる。
【００１０】
前記官製葉書古紙は、まずミキサーカッタ方式の粉砕機で粗粉砕（破砕）され、次にミル（臼）方式の粉砕機で微粉砕したものが、集塵機で粉体として収集される。このような紙粉体としての紙粉末成分が、混練機を使用して澱粉成分と混練され、ポリプロピレン樹脂成分とともに加熱溶融され、水を発泡媒体として、２軸の押出機を用いて押出されて、板状発泡材Ｍが製造される。前記官製葉書古紙の粉砕は、１００〜２００メッシュの篩を通過した程度の粉体（約１５０〜８０μｍ粒径）にすることが好ましい。
【００１１】
本発明の発泡体の原料組成の割合は、全体に占めるポリプロピレン樹脂成分の割合が５０重量％程度であり、これにより発泡体を得ることができる。官製葉書古紙の有効利用という観点から、ポリプロピレン樹脂成分の比率は５０重量％以下として、官製葉書古紙の組成比率を１０重量％以上で、できるだけ多くすることが望ましい。なお、前記ポリプロピレン樹脂成分の割合は５０重量％以上になっても、前述と略同様な発泡体を得ることはできる。
【００１２】
次に、官製葉書古紙を主成分とする板状発泡材Ｍの製造法について説明する。まず、官製葉書の古紙を、ミキサーカッタ方式の粉砕機で粗粉砕し、約１５〜２０mm程度の断片に破砕する。そして、ミル方式の粉砕機で微粉砕し、約２００メッシュ程度の官製葉書古紙の紙粉末成分とする。次いで、微粉砕した官製葉書古紙の紙粉末成分と適宜な工業用澱粉なる澱粉成分とを混合する。そして、前記紙粉末成分と澱粉成分とに対して、ポリプロピレン樹脂成分（顆粒）及び水を混合して、加熱混練する。このようにした成分を、高温加熱シリンダとしての押出機から押出すことにより、図７，図８（Ａ），（Ｂ）等に示すように、該押出機の出口端に設けた押出用金型１０及び押出型枠１２を通過することで板状発泡材Ｍが製造できる。
【００１３】
前記押出用金型１０は、断面長方形をなし、適宜の長さを有した扁平立法体状をなしている。この断面の内部には、複数の孔１１，１１，…が長さ方向に貫通して構成されている。孔径は、約２mm乃至約３mm程度である。この複数の孔１１から紐状として出たもの複数が、断面長方形状の空隙が形成された押出型枠１２を通過することで互いに接着されて板状発泡材Ｍが形成される。この押出方向は図８における矢印のように、右から左側に向かって通過するように構成されている。
【００１４】
次に、その板状発泡材Ｍの具体的な製造工程をフローチャート（図９参照）に基づいて説明する。まず、官製葉書古紙を、ミキサーカッター方式の粉砕機で１５〜２０mm程度の断片に粗粉砕する（Ｓ１参照）。粗粉砕した紙断片をミル方式の粉砕機で微粉砕する（Ｓ２参照）。この微粉末を微粉砕機の上部から、２．２ｋｗの吸引ポンプで、吸引開口目盛を調節しながら、空気分吸して、１００〜２００メッシュの篩を通した程度の紙粉末（約１５０〜８０μｍ粒径）として収集する。これまでが官製葉書古紙を紙粉末成分にする工程である。この紙粉末成分と工業用変性澱粉なる澱粉成分とを、重量比で４対６の割合で加えて混合する（Ｓ３参照）。そして、このような紙粉末成分２４重量％と澱粉成分３６重量％、ポリプロピレン樹脂成分４０重量％に、水を適宜供給して混練機で良く混練しておく（Ｓ４参照）。紙粉末成分と澱粉成分とポリプロピレン樹脂成分とを押出機に投入する（Ｓ５参照）。
【００１５】
上記板状発泡材Ｍの押出用金型１０は、図７に示すように、断面が約１０５mmで、高さ２２mmの中に、孔直径約２．５mmの円形の孔１１が千鳥状配列に合計２３個が開口され、金型の厚さ約１０mmで、前記多数の孔１１を出た直後には、円形紐状をなし、この複数が互いに密着するごとくに合わさり、且つ枠状の前記押出型枠１２を通過して、若干収縮されて、幅約１００mm×高さ約２０mmの帯板状発泡材が押し出される（Ｓ６参照）。そして、押出用金型１０及び押出型枠１２を出た直後に、所望の長さ、例えば４５cmでカッタによって裁断すると、板状発泡材Ｍを製造できる（Ｓ７参照）。また、一般古紙の紙粉末成分又は植物性粉末成分から板状発泡材Ｍを製造するには、官製葉書古紙を主成分とする製造法と同様であり、その説明は省略する。
【００１６】
また、図８（Ａ）に示すように、前記押出用金型１０は、横幅が約８０mmで高さ２２mmで孔直径約２．５mmの円形の孔１１が千鳥状配列に合計１７個が開口された実施例も存在し、これで成形すると、幅約７０mm×高さ約２０mmで適宜の長さ（例えば約３０cm）の帯板状発泡材が成形される。さらに、図８（Ｂ）に示すように、断面が約１０５mmで、高さ４４mmの中に、孔直径約２．５mmの円形の孔１１が千鳥状配列に合計２８個が開口された実施例も存在する。これで成形すると、幅約１００mm×高さ約４０mmで適宜の長さ（例えば約３０cm）の帯板状発泡材が成形される。このように、厚さ（高さ）が約２０mm又は４０mmであっても、その幅は１００mmのため、所望の幅、例えば、２８０mmの場合には、１００mmのもの２つと、８０mmのもの１つを接着剤等で接着して構成される。また、押出機を大型化することで、厚さ（高さ）が約５０mmで、幅２００〜３００mm程度で適宜の長さ５０cm乃至１ｍ程度の板状発泡材Ｍの製造が可能である。
【００１７】
上記板状発泡材Ｍは、弾力性，復元性に富み、瓶１５を優しく支持し、衝撃を緩衝することができる。また、板状発泡材Ｍは、発泡スチロールなみに軽量であり、保温性においては発泡スチロールを上回る性能を有している。さらに、燃焼してもダイオキシン等の有害ガスを生じることがなく、安全性があり、また燃焼温度が低いので焼却炉等に無理を与えるものではない。さらに変形しやすく緩衝材にも好適である。板状発泡材Ｍは、空気を多く含むことができ、その上，コルクのように吸湿性の質量変化に富んでおり、抜群の保冷・断熱効果を発揮することができ、箱体Ａ内の湿度、温度を略一定に保つことが出来る。
【００１８】
次に箱体Ａは、段ボール紙等の厚紙から形成されたものであり、収容本体部１，主蓋部２，内蓋部３及び底部５とから構成される。この箱体Ａには２つのタイプが存在し、まず第１タイプでは、図１に示すように、前記収容本体部１は、１本の瓶１５が収納可能な容積を有している。この収容本体部１は、瓶１５の標準サイズに合わせて形成されており、一升瓶，１．８リットル瓶，大瓶，中瓶，小瓶等，種々のサイズに合わせて形成されるものである。そして、収容本体部１の内部の４つの内側面には、後述する板状発泡材Ｍから形成された側面保護部材７が配置される。
【００１９】
次に、主蓋部２は、図１，図２（Ａ），（Ｂ）に示すように、主蓋板２ａ，差込み部２ｂ及差込み突片２ｃから形成され、主蓋板２ａの端縁に差込み部２ｂが折曲げ自在に形成され、該差込み部２ｂの先端に差込み突片２ｃが形成されている。該差込み突片２ｃは前述差込み部２ｂの幅方向の寸法よりも小さく形成され、その差込み部２ｂの幅方向の略中心箇所から突出するようにして形成されたものである。
【００２０】
次に内蓋部３は、図１，図２（Ａ），（Ｂ）に示すように、表面折曲部３ａ，側面折曲部３ｂ、内蓋主板部３ｃ及び端部折曲部３ｄから形成されている。そして、表面折曲部３ａ，側面折曲部３ｂが断面略門形状に折曲げ形成され、該側面折曲部３ｂ，内蓋主板部３ｃ及び端部折曲部３ｄにより、断面略逆門形状に折曲げ形成され、この状態にして、収容本体部１の開口箇所を覆うようにする前記端部折曲部３ｄは、収容本体部１の内周面に略当接する状態となる。前記内蓋主板部３ｃには、引出し用孔３ｆが形成され、該引出し用孔３ｆに指を差し込みながら、その内蓋部３を開くことができる。
【００２１】
さらに、前記側面折曲部３ｂと内蓋主板部３ｃとの折曲線箇所には、図１，図３（Ａ），（Ｂ）に示すように、前記主蓋部２の差込み突片２ｃが挿入される差込み孔３ｅが形成されている。そして、まず内蓋部３が収容本体部１の開口を閉じるようにして蓋を閉める。このとき、前述したように、端部折曲部３ｄは収容本体部１の内周面に当接する。さらに、補助蓋５が閉じられ、主蓋部２が閉じられる。該主蓋部２は差込み部２ｂが前記内蓋部３の側面折曲部３ｂに対向して略当接状態となり、差込み突片２ｃが前記差込み孔３ｅに差し込まれ、蓋閉じ状態にすることができる。その底部５は、箱体Ａの折り畳み状態では、収容側面部１の内部に収納されるようになっている。
【００２２】
次に、板状発泡材Ｍから形成される上部保護部材６，側面保護部材７及び底面保護部材８について説明する。まず上部保護部材６は、箱体Ａにおいて、図３（Ａ）に示すように、収納された瓶１５の上部を支持して保護する役目をなす。側面保護部材７は、箱体Ａの収容本体部１の内面側に装着され、瓶１５の外周面を支持して保護する役目をなし、前記底面保護部材８は瓶１５の底部を支持して保護するものである。
【００２３】
その上部保護部材６は、図１乃至図３に示すように、略方形状に形成され、その中央箇所には、瓶１５の上部が挿入するための保護用孔６ａが形成されている。該保護用孔６ａは、瓶１５の上部の細径部分を挿入させることができ、これによって、瓶１５の上部箇所を保護するものである。そして、上部保護部材６の外形は前記箱体Ａの収容本体部１の断面形状に略等しく形成され、該収容本体部１に当接することが好適である。
【００２４】
すなわち、上部保護部材６は、図５に示すように、その外周が収容本体部１の内周により支持されるもので固定され、これによって、瓶１５の上部を保護することができる。上部保護部材６は、前記板状発泡材Ｍから形成されており、板状発泡材Ｍには、柔軟且つ弾性及び復元性を有するものであり、その上部保護部材６にも弾性及び復元性を有するものである。特に、柔軟性においては、発泡スチロールよりも優れており、瓶１５を優しく保護することができる。そして、瓶１５の衝撃をその柔軟性，弾性及び復元性によって保護するものである。
【００２５】
側面保護部材７は、略薄板状の板状発泡材Ｍから形成され、この板状発泡材Ｍを断面略方形枠状となるようにして折り曲げ形成されたものである。この側面保護部材７は、収容本体部１の内周面に当接するようにして配置されることが好ましく、箱体Ａに収容された瓶１５の大径部の外周を包囲するようにして支持し、保護するものである。次に底面保護部材８は、箱体Ａの底部箇所に配置されるものであり、瓶１５の底面箇所を支持し、保護するものである。上記側面保護部材７及び底面保護部材８も前記上部保護部材６と同様に柔軟且つ弾性及び復元性を有しており、瓶１５を衝撃から保護することができる。
【００２６】
次に、図６（Ａ）は、本発明の第２タイプであり、１つの箱体Ａに２本の瓶１５，１５が収納されるものである。この第２タイプでは、前記箱体Ａの収容本体部１の断面形状は、長方形となる。そして、板状発泡材Ｍから形成される上部保護部材６も収容本体部１の断面形状と略同等の長方形である。上部保護部材６には、２つの保護用孔６ａ，６ａが適正な間隔をおいて形成され、２本の瓶１５，１５を適正間隔をおいて、その上部箇所を支持し、保護するものである。
【００２７】
また、側面保護部材７は、前述したように略薄板状の板状発泡材Ｍから形成され、この板状発泡材Ｍが、図６（Ｂ）に示すように、断面略角形とした「の」字形状となるようにして適宜折り曲げ形成されたものである。さらに、図６（Ｃ）に示すように、略「日」或いは「Ｂ」字形状とし、側面保護部材７の隣接する２本の瓶１５，１５を仕切る部位が２枚状態に重なるようにして構成されることもある。このようにして、２本の瓶１５，１５が互いに直接当接しないようにして支持され、保護されるものである。すなわち、２本の瓶１５，１５間に側面保護部材７とした板状発泡材Ｍが介在するものであり、両瓶１５，１５を衝撃から保護することができる。また、底面保護部材８は、前記上部保護部材６と略同等の外形形状としたものである。
【００２８】
特に、第２タイプのように２本の瓶１５，１５が入れられるものでは、箱体Ａに貫通孔状の取手１ａが形成されることがある。この取手１ａは、前記収容本体部１の上方箇所の対向する２側面に切り抜き状に形成されたものである。この取手１ａにより切り抜かれた部分の一部と収容本体部１とはつながっていることもある。この取手１ａが形成されることにより、箱体Ａの持ち運び作業において都合が良くなる。
【００２９】
本発明における板状発泡材Ｍは、コルクのように吸湿性の質量変化に富んでいて呼吸しているので、上部保護部材６，側面保護部材７及び底面保護部材８は、箱体Ａ内に収納した瓶１５を固定するのみでなく、箱体Ａ内を略一定の温度に維持することが可能である。また板状発泡材Ｍは、弾性及び復元性を有しているので、箱体Ａに衝撃がかかって、瓶１５が箱体Ａ内で揺れようとしたときに、上部保護部材６，側面保護部材７及び底面保護部材８が総合的にその揺れを受けて、その衝撃を緩衝することにより、より一層、瓶１５の保護性能を向上させている。さらに、板状発泡材Ｍの材質として官製葉書の故紙が使用されることにより、有益なリサイクルが実現される。それゆえに、本発明では使用後には、一般ゴミとして焼却処分が出来る上、燃焼温度が低く、ダイオキシン等の有害物質は発生しない人と地球にやさしいものである。
【図面の簡単な説明】
【００３０】
【図１】本発明の第１タイプを示す箱体を一部切除した斜視図である。
【図２】瓶と上部保護部材の斜視図である。
【図３】（Ａ）は第１タイプにおける箱体を閉じた状態の縦断側面図、（Ｂ）は箱体を開き上部保護部材を分離した状態の縦断側面図である。
【図４】側面保護部材を開いた状態と上部保護部材の斜視図である。
【図５】本発明の作用図である。
【図６】（Ａ）は本発明の第２タイプにおいて箱体から上部保護部材を外した状態の斜視図、（Ｂ）は（Ａ）の断面図、（Ｃ）は（Ｂ）とは別の側面保護部材による瓶の保護をしている状態の断面図である。
【図７】板状発泡材を製造する金型の斜視図である。
【図８】（Ａ）は押出用金型の正面図、（Ｂ）は別の押出用金型の正面図である。
【図９】板状発泡材を製造する工程のフローチャートである。
【符号の説明】
【００３１】
６…上部保護部材、６ａ…保護用孔、７…側面保護部材、
８…底面保護部材、１５…瓶、Ｍ…板状発泡材。
【図１】
2006062757.tif 000003
【図２】
2006062757.tif 000004
【図３】
2006062757.tif 000005
【図４】
2006062757.tif 000006
【図５】
2006062757.tif 000007
【図６】
2006062757.tif 000008
【図７】
2006062757.tif 000009
【図８】
2006062757.tif 000010
【図９】
2006062757.tif 000011